(57)【要約】      （修正有）【課題】接続時の過大な挿入力が端子を押し出す影響を防止するコネクタを提供する。【解決手段】コネクタは、絶縁ケースと複数の端子を包含し、絶縁ケースに複数の収容溝があり、収容溝内に係止溝が設けられ、収容溝に該端子が取付けられ、各該端子は、本体と、本体の一側に設けられて挟持空間を具えた第１接触アームと第２接触アームと、本体腹部に設けられて側方向に向けて折り曲げられた係止アームを具えている。係止アームは該端子が該収容溝に取付けられた後に、反対方向に該収容溝内の係止溝に係合する。【選択図】図１
0003162324.tif 000002
【実用新案登録請求の範囲】
【請求項１】
コネクタにおいて、
絶縁ケースであって、接合端と接続端を具え、該接合端と接続端の間に複数の収容溝が設けられ、且つ、該収容溝内に係止溝が設けられた、上記絶縁ケースと、
複数の端子であって、該収容溝内に取付けられ、各該端子は、
本体と、
該本体の一側において挟持空間を挟んで相互に対向するように設けられた第１接触アームと第２接触アームと、
該本体の腹部に設けられて側方向に折り曲げられた係止アームと、
を包含し、該係止アームは該端子が該収容溝内に取付けられた後、逆方向に該収容溝内の該係止溝に係合されて、該コネクタに対応するコネクタが接続される時の過大な挿入力により該端子が押し出されるのを防止して、強固な組合せを達成する、上記複数の端子と、
を包含したことを特徴とする、コネクタ。
【請求項２】
請求項１記載のコネクタにおいて、該係止アームの側方向への折り曲げは、該本体の中空部の内壁より、一体にそれと組み合わされる該絶縁ケースの外側に向けて折り曲げられることを特徴とする、コネクタ。
【請求項３】
請求項１記載のコネクタにおいて、該本体の周縁に少なくとも一つの干渉体が設けられたことを特徴とする、コネクタ。
【請求項４】
請求項１記載のコネクタにおいて、該第１接触アームと該第２接触アームは音叉状をし、且つ該第１接触アームと該第２接触アームの前端内側にそれぞれ突出し並びにかすかに接触する接触部が形成されたことを特徴とする、コネクタ。
【請求項５】
請求項４記載のコネクタにおいて、該第１接触アームと該第２接触アームの前端の外縁に凸体が設けられて、対応コネクタとの接続後に該凸体がそれぞれ該絶縁ケースの該収容溝内に圧接することにより、該第１接触アーム、第２接触アームの接触部の挟持力が強化されることを特徴とする、コネクタ。
【請求項６】
請求項１記載のコネクタの端子において、
該端子は、
本体と、
該本体の一側において挟持空間を挟んで相互に対向するように設けられた第１接触アームと第２接触アームと、
該本体の腹部に設けられて側方向に折り曲げられた係止アームと、
を包含し、該係止アームは該端子が該収容溝内に取付けられた後、逆方向に該収容溝内の該係止溝に係合されて、該コネクタに対応コネクタが接続される時の過大な挿入力により該端子が押し出されるのを防止して、強固な組合せを達成することを特徴とする、コネクタの端子。
【請求項７】
請求項６記載のコネクタの端子において、該係止アームの側方向への折り曲げは、該本体の中空部の内壁より、一体にそれと組み合わされる該絶縁ケースの外側に向けて折り曲げられることを特徴とする、コネクタの端子。
【請求項８】
請求項６記載のコネクタの端子において、該本体の周縁に少なくとも一つの干渉体が設けられたことを特徴とする、コネクタの端子。
【請求項９】
請求項６記載のコネクタの端子において、該第１接触アームと該第２接触アームは音叉状をし、且つ該第１接触アームと該第２接触アームの前端内側にそれぞれ突出し並びにかすかに接触する接触部が形成されたことを特徴とする、コネクタの端子。
【請求項１０】
請求項９記載のコネクタの端子において、該第１接触アームと該第２接触アームの前端の外縁に凸体が設けられて、対応コネクタとの接続後に該凸体がそれぞれ該絶縁ケースの該収容溝内に圧接することにより、該第１接触アーム、第２接触アームの接触部の挟持力が強化されることを特徴とする、コネクタの端子。
【考案の詳細な説明】
【技術分野】
【０００１】
本考案は一種のコネクタに係り、特に薄型化されたコネクタであって、該コネクタの端子がコネクタの絶縁ケースとの強固な組立効果を提供できる、コネクタに関する。
【背景技術】
【０００２】
周知のとおり、コネクタの絶縁ケースと端子の組合せは、端子側縁に設けられた干渉体と絶縁ケースを干渉を形成するように組合せ、これにより一体に結合する目的を達成する。しかし、薄型化の設計傾向により、このような干渉を利用して組み合わせる結合形体は、絶縁ケースの厚さの縮小のために、特に、端子組合せの方向と接続方向が対向する状態で、端子の干渉体の理想的な干渉組合せ状態を設計できなくなった。なぜなら、対応コネクタとの接続時の過大な挿入力により端子と絶縁ケースの間の組合せの強度が脅かされ、脱落する恐れがある。現在、薄型化のコネクタの組立は、一体式（Ｉｎｓｅｒｔ  Ｍｏｌｄｉｎｇ）により組み合わせる端子を絶縁ケース成形時に併せて固定しているが、これは製造コストが高く且つ製造工程が制限される。
【考案の概要】
【考案が解決しようとする課題】
【０００３】
本考案の目的は、一種のコネクタを提供することにあり、それは、該コネクタの端子が直接ジグでコネクタの絶縁ケースに組み合わされ、該端子に設けられた特殊な係止アームの設計により、端子と絶縁ケース間の強固な組合せが強化され、これにより対応コネクタとの接続時の端子の脱落の現象を防止できる。
【課題を解決するための手段】
【０００４】
上述の目的を達成するため、本考案のコネクタは、絶縁ケースであって、接合端と接続端を具え、該接合端と接続端の間に複数の収容溝が設けられ、且つ、該収容溝内に係止溝が設けられ、複数の端子が該収容溝に組み合わされ、該端子は、本体と、該本体の一側に設けられて挟持空間を具えた第１接触アームと第２接触アームと、該本体の腹部に設けられて側方向に折り曲げられた係止アームを包含する。
【０００５】
該係止アームは、該端子が該収容溝に取付けられた後、反対方向に該収容溝内の係止溝に係合し、接続時の過大な挿入力により端子が押し出されるのを防止し、強固な組合せの効果を達成する。
【０００６】
以上の特徴に基づき、そのうち該第１接触アームと該第２接触アームの前端の外縁に凸体が設けられ、接続後に該凸体が該絶縁ケースの収容溝内に当接し、これにより、該第１接触アーム、該第２接触アーム間の挟持空間が縮小されることができ、これにより第１接触アーム、第２接触アームの挟持効果が強化される。
【考案の効果】
【０００７】
本考案のコネクタは、該コネクタの端子が直接ジグでコネクタの絶縁ケースに組み合わされ、該端子に設けられた特殊な係止アームの設計により、端子と絶縁ケース間の強固な組合せが強化され、これにより対応コネクタとの接続時の端子の脱落の現象を防止できる。
【図面の簡単な説明】
【０００８】
【図１】本考案のコネクタの立体分解図である。
【図２】本考案の端子を絶縁ケースに取付けた後の局部立体組合せ図である。
【図３】図２の局部拡大図である。
【図４】本考案の端子を絶縁ケースに取付けた後の正面図である。
【図５】図４の５−５断面図である。
【考案を実施するための形態】
【０００９】
図１を参照されたい。本考案のコネクタは、絶縁ケース７と複数の端子１を包含する。そのうち、該絶縁ケース７は接合端７０と接続端７３を具えている。該接合端７０と該接続端７３の間には複数の収容溝７１が設けられている。且つ該収容溝７１内に係止溝７２が設けられている（図２を参照されたい）。
【００１０】
該端子１は扁平バスコネクタの端子とされ、本体２、第１接触アーム３及び第２接触アーム４、及び係止アーム５を包含する。そのうち、該本体２の周縁に、複数の干渉体２０が設けられて、絶縁ケース７との組合せ時の干渉組合せに用いられ、且つ本体は中空部２１を有する。
【００１１】
該第１接触アーム３と該第２接触アーム４は相互に対応し該本体２の一側より延伸されて音叉状を呈し、該第１接触アーム３と該第２接触アーム４の間に挟持空間６があり、該挟持空間６に対応するバスコネクタが挿入される。且つ該第１接触アーム３と第２接触アーム４の前端内側に、突出し並びに僅かに当接する接触部３１、４１が設けられ、対応し接続されるバスの接点との接触に用いられる。また、該第１接触アーム３と第２接触アーム４の前端の外縁に凸体３２、４２が設けられ、対応接続後に該凸体３２、４２が該絶縁ケース７の収容溝７１内にそれぞれ当接し（図２参照）、これにより、該第１接触アーム３と第２接触アーム４の接触部３１、４１の挟持効果が強化される。
【００１２】
該係止アーム５は本体２の腹部に設けられ、すなわち、該本体２の中空部２１の内壁より一体に、それと組み合わされる絶縁ケース７（図５参照）の外側に向けて折り曲げられる。
【００１３】
本考案を組み立てる時は、該端子１がジグで絶縁ケース７の接合端７０より収容溝７１内に取付けられ、取付け後に、該端子１の干渉体２０は収容溝７１の内壁と干渉を形成するように組み合わされ、該係止アーム５は組立後に収容溝７１の係止溝７２に係合され（図３、５参照）、これにより絶縁ケース７の接続端７３の、扁平バス（図示せず）接続時の過大な挿入力により端子１が押し出されるのを防止し、強固な組立の効果を達成する。また、該第１接触アーム３、第２接触アーム４の凸体３２、４２により、接続後に該凸体３２、４２がそれぞれ該収容溝７１の内壁に当接し、これにより、第１接触アーム３、第２接触アーム４の接触部３１、４１の挟持効果が強化される。すなわち、該扁平バス（図示せず）が第１接触アーム３、第２接触アーム４の間の挟持空間６に挿入された後、該凸体３２、４２がそれぞれ該収容溝７１の内壁に当接し、第１接触アーム３と第２接触アーム４の接触部３１、４１に該扁平バスをさらに強固に挟持させることができる。
【００１４】
総合すると、本考案のコネクタの構造は、本考案の目的を達成し、実用新案登録の要件に符合する。なお、以上の説明は、本考案の実施範囲を限定するものではなく、本考案に基づきなし得る修飾或いは変更は、いずれも本考案の権利請求範囲に属するものとする。
【符号の説明】
【００１５】
１  端子
２  本体
３  第１接触アーム
４  第２接触アーム
５  係止アーム
６  挟持空間
７  絶縁ケース
２０  干渉体
２１  中空部
３１、４１  接触部
３２、４２  凸部
７０  接合端
７１  収容溝
７２  係止溝
７３  接続端
【図１】
0003162324.tif 000003
【図２】
0003162324.tif 000004
【図３】
0003162324.tif 000005
【図４】
0003162324.tif 000006
【図５】
0003162324.tif 000007